(57)【特許請求の範囲】
【請求項１】
水を加熱して気化させるボイラーの下部に水を貯留する貯留室を有し、ボイラーに備えた沸騰室で発生させたスチームを噴出させるスチーム室をこの貯留室の上部に設け、ボイラーで発生したスチームを噴出するためのノズルと、ボイラーのスチーム室から上記ノズルにスチームを供給するスチーム流路と、ノズルやスチーム流路に結露した結露水をボイラーの貯留室に復水するため、上部縦管路部と絞り管路部と下部縦管路部とからなる垂直部分と横管路部とで構成され且つその上部縦管路部を前記スチーム流路と兼ねる結露復水管とを設け、スチーム流路の前記結露復水管の垂直な上部縦管路部を兼ねる部分の下部に連通するようにノズルを配置したことを特徴とするスチーム発生器具。
【請求項２】
結露復水管とボイラーとの間のスチーム流路にはボイラーの上方向に凸となった逆Ｕ字状のＵ字管路を有することを特徴とする請求項１記載のスチーム発生器具。
【請求項３】
スチーム流路の前記結露復水管の垂直な上部縦管路部を兼ねる部分の下部のノズルへ接続する位置よりも高い位置にスチームをイオン化させる放電極を配置したことを特徴とする請求項１または請求項２記載のスチーム発生器具。
【請求項４】
結露復水管とボイラーとの間のスチーム流路に吸水体を設けたことを特徴とする請求項２記載のスチーム発生器具。
【請求項５】
逆Ｕ字状のＵ字管路において、Ｕ字管路の頂点より下部で且つボイラー側の管路に小径部を設けたことを特徴とする請求項２記載のスチーム発生器具。
【請求項６】
スチームを発生するための沸騰室と、沸騰させる水を貯留する貯留室とを分離し、沸騰室に貯留室から水を供給する穴と、沸騰室にて発生したスチームを貯留室の上部のスチーム室に噴出させる噴出口とで沸騰室と貯留室やスチーム室とが連結されたボイラーにおいて、スチーム室の天井面にスチーム流路の入口を設け、スチーム室のスチームがスチーム流路に入るのに迂回させるための垂下壁をこの入口縁から下方に突設したことを特徴とする請求項１乃至請求項５のいずれかに記載のスチーム発生器具。
【請求項７】
結露復水管の下部縦管路部と横管路部との間の部分からボイラー内の水を外部に排水する排水管を連出し、ボイラー下部の結露復水管の横管路部と連通させる開口にフィルターを設けたことを特徴とする請求項１乃至請求項６のいずれかに記載のスチーム発生器具。
【請求項８】
ボイラー内の水を貯留する貯留室の底面に結露復水管の横管路部と連通させる開口を設け、この貯留室の底面に上記開口を下端とする勾配を設けたことを特徴とする請求項７記載のスチーム発生器具。
【発明の詳細な説明】
【０００１】
【発明の属する技術分野】
本発明は、スチーム式の美容器、美顔器、吸入器等のスチーム発生器具に関するものである。
【０００２】
【従来の技術】
一般にスチーム式の美容器、美顔器、吸入器等の器具は、ボイラーで発生させたスチームをスチーム流路を介してノズルから人体に向けて噴出さえることになるために、結露水滴（湯玉）が吹き出してしまうと火傷の虞があり、このために上記用途の器具は結露水滴の噴き出しを防ぐものになっていなればならない（結露水滴の噴き出しを防ぐものとして本特許出願人が先に出願した特開平１１−４８６９号公報等がある）。
【０００３】
従来、結露水滴が噴き出さないようにするために結露復水管を設けてボイラーに復水するようにしたものがあるが、これらは図９のような構造になっている。ヒータを内蔵するボイラーａのスチーム室ｂの上部からスチーム流路ｃが延設されており、スチームを噴き出すノズルｄ及びスチーム流路ｃに発生する結露を復水するためにスチーム流路ｃにはボイラーａ下部と接続された結露復水管ｅを設けてあり、ノズルｄはスチーム流路ｃと結露復水管ｅを繋いだ管の上部より突出した管路の先端に配置されている。
【０００４】
またスチームをイオン化させる機能を持ったスチーム発生器具もある。その構造例としては、上記ボイラーａからスチームを送るスチーム流路ｃに放電極ｆを設け、スチーム発生装置外部設けた高電圧発生装置により放電極ｆ間に高電圧をかけることにより放電極ｆ間を通るスチームをイオン化させる構造になっている。従来は、この放電極ｆがスチーム通路ｃの横方向の管路ｃ１に設けられていた。
【０００５】
また器具の使用後にボイラー内部の残水を排水する機能を持った器具がある。構造例としては、結露復水管に排水口を設け、排水口と結露復水管との間に開閉可能は弁を設けてある。
【０００６】
【発明が解決しようとする課題】
ところで、上記従来の構造では、スチーム室ｂより発生したスチームが横方向の管路ｃ１を通って上方向の管路ｃ２を通ってノズルｄに到達する。スチーム室ｂからノズルｄの間で発生した結露はスチームの勢いに伴ってノズルｄ方向に運ばれるものであり、スチーム流路ｃが上及び横方向の管路ｃ１，ｃ２で構成されていると、ノズルｄに結露が到達しやすいという問題がある。
【０００７】
また、スチームをイオン化させる機能を持ったスチーム発生装置においては、イオン化させるための放電極ｆがスチーム流路ｃの横方向の管路ｃ１に設けてあるため、管路ｃ１に発生した結露が管路ｃ１にたい積しやすいので、結露が放電極ｆに付着しやすく、放電極ｆに結露が付着した場合は放電しにくくなり、スチームのイオン化ができなくなる。
【０００８】
またボイラーのヒータにより水を沸騰させた際に水に含まれたカルシウムイオンが固体化したカルシウムとなってボイラー内に析出するが、ボイラー内部の残水を排水する機能を持った器具においては、上記のように析出したカルシウムが排水する際に弁に挟まることがあり、弁の閉状態にて弁から水漏れが発生する可能性がある。
【０００９】
本発明は叙述の点に鑑みてなされたものであって、結露がノズルより突出しにくく、またスチームをイオン化するものにおいては安定してスチームをイオン化でき、さらに排水機能を有したものにおいては弁より水漏れの起こらないスチーム発生器具を提供することを課題とする。
【００１０】
【課題を解決するための手段】
上記課題を解決するため本発明のスチーム発生器具は、水を加熱して気化させるボイラーの下部に水を貯留する貯留室を有し、ボイラーに備えた沸騰室で発生させたスチームを噴出させるスチーム室をこの貯留室の上部に設け、ボイラーで発生したスチームを噴出するためのノズルと、ボイラーのスチーム室から上記ノズルにスチームを供給するスチーム流路と、ノズルやスチーム流路に結露した結露水をボイラーの貯留室に復水するため、上部縦管路部と絞り管路部と下部縦管路部とからなる垂直部分と横管路部とで構成され且つその上部縦管路部を前記スチーム流路と兼ねる結露復水管とを設け、スチーム流路の前記結露復水管の垂直な上部縦管路部を兼ねる部分の下部に連通するようにノズルを配置したことを特徴とする。ノズルを結露復水管の垂直部分の途中に配置したことにより、結露を伴ったスチームの流れをノズルに到達する前に鉛直下方にして、結露が下方に存在する水に滴下させやすくでき、結露がノズルに到達するのを防ぐことができる。
【００１１】
また結露復水管とボイラーとの間のスチーム流路にはボイラーの上方向に凸となった逆Ｕ字状のＵ字管路を有することを特徴とすることも好ましい。スチーム流路に発生した結露はＵ字管路を乗り超えないとノズルに行くことができないためにノズル付近に行きにくくなる。また、スチームの流れがＵ字管路に通されることにより、下方に流れが整流されるためにＵ字管路の頂点を越えた結露がノズル側に行きにくくなる。
【００１２】
またスチーム流路の前記結露復水管の垂直な上部縦管路部を兼ねる部分の下部のノズルへ接続する位置よりも高い位置にスチームをイオン化させる放電極を配置したことを特徴とすることも好ましい。放電極を従来の結露の溜まりやすい横方向のスチーム流路から垂直部分に配置を変えることにより、放電極下に結露が溜まって放電極と結露とが触れることを防ぐことができる。
【００１３】
また結露復水管とボイラーとの間のスチーム流路に吸水体を設けたことを特徴とすることも好ましい。Ｕ字管路の頂点より下方のボイラー側に結露がたい積した場合、結露が多量にたい積するとスチームの勢いで結露表面がＵ字管路の下端から頂点の間に波打ち、膜を張っては膜が割れてボコボコ音が発生し、且つスチーム流路を遮ることによりスチーム発生量の低下を起こすことがあるが、上記のようにＵ字管路の頂点より下方のボイラー側のスチーム流路に吸水体を設けることにより、発生した結露がボイラーに復水しやすくなり、スチーム流路に多量の結露がたい積するのを防ぐことができる。
【００１４】
また逆Ｕ字状のＵ字管路において、Ｕ字管路の頂点より下部で且つボイラー側の管路に小径部を設けたことを特徴とすることも好ましい。Ｕ字管路の頂点より下方のボイラー側に結露がたい積した場合、結露が多量にたい積するとスチームの勢いで結露表面がＵ字管路の下端から頂点の間に波打ち、膜を張っては膜が割れてボコボコ音が発生し、且つスチーム流路を遮ることによりスチーム発生量の低下を起こすことがあるが、上記のようにＵ字管路の頂点より下部で且つボイラー側の管路に小径部を設けることで、膜を張る位置のスチーム流速を上げることができ、Ｕ字管路を越えそうな不安定な結露を速い速度で結露復水管に送ることができ、スチーム流路に多量の結露がたい積するを防ぐことができる。
【００１５】
またスチームを発生するための沸騰室と、沸騰させる水を貯留する貯留室とを分離し、沸騰室に貯留室から水を供給する穴と、沸騰室にて発生したスチームを貯留室の上部のスチーム室に噴出させる噴出口とで沸騰室と貯留室やスチーム室とが連結されたボイラーにおいて、スチーム室の天井面にスチーム流路の入口を設け、スチーム室のスチームがスチーム流路に入るのに迂回させるための垂下壁をこの入口縁から下方に突設したことを特徴とする。貯留室から供給された水を沸騰室で沸騰させて発生したスチームをスチーム室に噴出することにより徐々に水を沸騰させることによりスチームの発生時間を速めることができる構造のスチーム発生装置においては、沸騰室から発生したスチームに伴って沸騰水がスチーム室に流れ込んでくる際にスチーム室に連通したスチーム流路にスチームの流れに伴って沸騰水が入り込むことがあるが、スチーム流路の入口にスチーム室内側に突出させた壁を設けることにより、沸騰水がスチーム流路に流れ込むのを防止できる。
【００１６】
また結露復水管の下部縦管路部と横管路部との間の部分からボイラー内の水を外部に排水する排水管を連出し、ボイラー下部の結露復水管の横管路部と連通させる開口にフィルターを設けたことを特徴とすることも好ましい。カルシウムが析出してもフィルターで捕集して排水口の弁が詰まるのを防止できる。
【００１７】
またボイラー内の水を貯留する貯留室の底面に結露復水管の横管路部とを連通させる開口を設け、この貯留室の底面に上記開口を下端とする勾配を設けたことを特徴とすることも好ましい。ボイラー底面の水を勾配にて水が残らないようにスムーズに排水でき、ボイラー内を乾燥する際に発生する固形カルシウムを低減させて排水口の弁が詰まるのを防止できると共に使用者の水抜き作業を緩和することができる。
【００１８】
【発明の実施の形態】
本発明のスチーム発生器具は、スチーム式の美容器、美顔器、吸収器等であるが、本例の場合、スチーム式の美容器具の例について述べる。
【００１９】
先ず図１の例から説明する。美容器具は水を気化してスチームを発生するボイラー１と、ボイラー１で発生したスチームを噴出するためのノズル２と、ボイラー１からノズル２にスチームを供給するスチーム流路３に接続された結露復水管４とを具備する。ボイラー１は後述するように下部の貯留室５に貯留した水がヒータ６を有する沸騰室７で沸騰させられ、沸騰室７で沸騰することで沸騰したスチームがスチーム室８を介してスチーム流路３に供給されるようになっている。ボイラー１で発生したスチームはスチーム流路３を介してノズル２に供給されるようになっている。またノズル２やスチーム流路３に結露した結露水を復水する結露復水管４はスチーム流路３とボイラー１の貯留室５の底部を連通させるように形成されている。本例の場合、結露復水管４は、スチーム流路３と兼ねる上部縦管路部４ａと、その下の絞り管路部４ｂと、その下の下部縦管路部４ｃと、下部縦管路部４ｃの下端と貯留室５とを連通させる横管路部４ｄとで構成されている。
【００２０】
本発明の場合、スチーム流路３の前記結露復水管４の垂直な上部縦管路部４ａを兼ねる部分の下部に連通するようにノズル２を配置してある。またノズル２は先端程上になるように斜め上方を向けてある。このようにノズル２を配置してあると、結露を伴ったスチームの流れをノズル２に到着する前に鉛直下方にして、結露水が下方に存在する水に滴下させやすくすることができ、結露がノズル２に到達するを防ぐことができる。またスチームをイオン化するための放電極１０が結露復水管４の上部縦管路部４ａに配置してあり、放電極１０に結露が付着しにくく、放電が安定して行われ、安定してスチームをイオン化できる。
【００２１】
次に図２に示す例について述べる。本例も上記例と基本的に同じであり、異なる点だけを述べる。本例の場合、スチーム流路３の途中には上方に凸となった逆Ｕ字状のＵ字管路１１を設けてある。Ｕ字管路１１の頂点からノズル２側の管路はスチーム流路３と結露復水管路４の上部縦管路部４ａと兼ねている。そして本例の場合も結露復水管路４の上部縦管路部４ａの下部と連通するようにノズル２を設けてある。この場合も結露を伴ったスチームの流れをノズル２に到着する前に鉛直下方にして、結露水が下方に存在する水に滴下させやすくすることができ、結露がノズル２に到達するを防ぐことができる。またスチーム流路３に発生した結露はＵ字管路１１を乗り超えないとノズル２に行くことができないためにノズル２付近に行きにくくなる。またスチームの流れがＵ字管路１１を通すことにより下方の流れに整流されるために、Ｕ字管路１１の頂点を乗り越えた結露がノズル２側に行きにくくなる。またスチームをイオン化するための放電極１０が結露復水管４の上部縦管路部４ａに配置してあり、放電極１０に結露が付着しにくく、放電が安定して行われ、安定してスチームをイオン化できる。
【００２２】
次に図３に示す例について述べる。本例も上記例と基本的に同じであり、異なる点だけ述べる。本例の場合、Ｕ字管路１１の頂点より下方のボイラー１側のスチーム流路３にスポンジのような吸水体１２を配置してあり、吸水体１２の一端をスチーム室８側の入口１３に臨ませてある。Ｕ字管路１１の頂点よりボイラー１側の結露Ｗが図３（ｂ）のようにたい積した場合、結露Ｗが多量にたい積するとスチームの勢いで結露Ｗ表面がＵ字管路１１下端から頂点の間で波を打ち、膜Ｗ１を張っては膜Ｗ１が割れてボコボコ音が発生し、且つスチーム流路３を遮ることによりスチームの発生量の低下を起こすことがあるが、上記のように吸水体１２を設けることにより、結露を吸水体１２に吸水してボイラー１に復水しやすくなり、スチーム流路３に多量の結露Ｗがたい積するのを防ぐことができる。
【００２３】
次に図４、図５に示す例について述べる。本例も上記例と基本的に同じであり、異なる点だけを述べる。本例の場合、結露復水管４の下部縦管路部４ｃと横管路部４ｄとの間の部分から排水管１４を連出してあり、排水管１４の端部に排水弁１５を設けてある。排水弁１５は弁筐体１６に排水口１７と流入口１８を設け、排水口１７を開閉する弁部材１９を弁筐体１６内に摺動自在に配設してある。弁部材１９には摺動自在な鉄心２０を連結してあり、コイル２１を励磁することによりバネ２２に抗して排水口１７を開くようになっている。これにより器具を使用しないときには排水口１７を開いてボイラー１内の水を外部に排水することができる。
【００２４】
次に図６に示す例について述べる。本例も上記例を基本的に同じであり、異なる点だけを述べる。本例の場合、Ｕ字管路１１の頂点より下部でボイラー１側のスチーム流路３に小径部２７を設けてある。図３（ｂ）のようにＵ字管路１１の頂点より下方のボイラー１側に結露Ｗがたい積した場合、結露Ｗが多量にたい積するとスチームの勢いで結露Ｗ表面がＵ字管路１１の下端から頂点の間に波打ち、膜Ｗ１を張っては膜Ｗ１が割れてボコボコ音が発生し、且つスチーム流路３を遮ることによりスチーム発生量の低下を起こすことがあるが、上記のようにＵ字管路１１の頂点より下部で且つボイラー１側の管路に小径部２７を設けることで、膜Ｗ１を張る位置のスチーム流速を上げることができ、Ｕ字管路１１を越えそうな不安定な結露Ｗを速い速度で結露復水管４に送ることができ、スチーム流路３に多量の結露Ｗがたい積するを防ぐことができる。
【００２５】
次に図７、図８に示す例について述べる。本例の場合、ボイラー１は下部の水を溜める貯留室５と、貯留室５の上部のスチーム室８と、ヒータ６を有する沸騰室７とで構成されている。そして沸騰室７側と、貯留室５やスチーム室８側とを分離してある。貯留室５の下部と沸騰室７の下部とを連通穴２３にて連通させてあり、沸騰室７の上部とスチーム室８の上部とを噴出口２４にて連通させてある。このように構成されていると、貯留室５の水が連通穴２３を介して沸騰室７に供給され、水が沸騰することでスチームが発生し、このスチームが噴出口２４からスチーム室８に噴出され、スチーム室８からスチーム流路３に供給される。このようにすることにより徐々に水を沸騰させることができてスチームの発生時間を速めることができる。
【００２６】
また排水口１７とボイラー１の貯留室５との間にフィルター２５を設けてある。本例の場合、貯留室５と結露復水管４とを連通させる開口２６にフィルター２５を配置してある。このようにしてあると、水に含まれたカルシウムイオンが固体化したカルシウムとなって析出しても、ボイラー１内の水を排水するときにフィルター２５にて捕集され、析出したカルシウムが排水弁１５に挟まることがなくなり、排水弁１５の閉状態で排水弁１５から水漏れするおそれがなくなる。
【００２７】
また本例の場合、ボイラー１の貯留室５の底面には連通穴２３を上端とし、開口２６を下端とする勾配２８を設けてある。このように勾配２８を設けると、ボイラー１の貯留室５の水を抜くとき勾配２８にて水が残らないようにスムーズに抜くことでき、ボイラー１内を乾燥する際に発生する固形カルシウムを低減させて排水弁１５が詰まるのを防止できると共に使用者の水抜き作業を緩和することができる。
【００２８】
図７に示す例ではスチーム室８のスチームが図７の矢印のように入口１３を介してスチーム流路３に入るためにスチームの勢いで結露がスチーム流路３に入るおそれがあるが、図１、図２、図３，図４、図６、図８の例ように入口１３の口縁から下方に垂下壁２９を突設してあると、図８の矢印のように垂下壁２９を迂回するようにスチームが入口１３を介してスチーム流路３に入り、スチーム室８から結露がスチーム流路３に入り込むおそれが少なくなる。
【００２９】
【発明の効果】
本発明は叙述の如くノズルをスチーム流路の前記結露復水管の垂直な上部縦管路部を兼ねる部分の下部に配置したので、結露を伴ったスチームの流れをノズルに到達する前に鉛直下方にして、結露が下方に存在する水に滴下させやすくでき、結露がノズルに到達するのを防ぐことができてノズルから結露が吐出するのを防止できるものである、また前記結露復水管の垂直な上部縦管路部を兼ねる部分の下部のノズルへ接続する位置よりも高い位置にスチームをイオン化させる放電極を配置すると、放電極を従来の結露の溜まりやすい横方向のスチーム流路から垂直部分に配置を変えることにより、放電極下に結露が溜まって放電極と結露とが触れることを防ぐことができ、スチームをイオン化するものにおいては安定してスチームがイオン化できる。
【００３０】
また、結露復水管の下部縦管路部と横管路部との間の部分からボイラー内の水を外部に排水する排水管を連出し、ボイラー下部の結露復水管の横管路部と連通させる開口にフィルターを設けると、カルシウムが析出してもフィルターで捕集して排水口の弁が詰まるのを防止できる。
【００３１】
またボイラー内の水を貯留する貯留室の底面に結露復水管の横管路部とを連通させる開口を設け、この貯留室の底面に上記開口を下端とする勾配を設けると、ボイラー底面の水を勾配にて水が残らないようにスムーズに排水でき、ボイラー内を乾燥する際に発生する固形カルシウムを低減させて排水口の弁が詰まるのを防止できると共に使用者の水抜き作業を緩和することができる。
【図面の簡単な説明】
【図１】本発明の実施の形態の一例の正面から見た断面図である。
【図２】同上の他の例の正面から見た断面図である。
【図３】（ａ）は同上の他の例の正面から見た断面図、（ｂ）は要部の動作を説明する説明図である。
【図４】同上の他の例の正面から見た断面図である。
【図５】同上の排水弁の断面図である。
【図６】同上の他の例の正面から見た断面図である。
【図７】同上の他の例の図４のＸ−Ｘ線の部分で破断した断面図である。
【図８】同上の図４のＸ−Ｘ線で破断した断面図である。
【図９】従来例の断面図である。
【符号の説明】
１  ボイラー
２  ノズル
３  スチーム流路
４  結露復水管
５  貯留室
６  ヒータ
７  沸騰室
８  スチーム室
１０  放電極
１１  Ｕ字管路
１２  吸水体
１５  排水弁
１７  排水口
２３  連通穴
２４  噴出口
２７  小径部
２８  勾配
２９  垂下壁
【図１】
0003928357.tif 000002
【図２】
0003928357.tif 000003
【図３】
0003928357.tif 000004
【図４】
0003928357.tif 000005
【図５】
0003928357.tif 000006
【図６】
0003928357.tif 000007
【図７】
0003928357.tif 000008
【図８】
0003928357.tif 000009
【図９】
0003928357.tif 000010